(57)【要約】【課題】  視覚的情報の提示者にかかる負担を軽減すると共に、効果的な視覚的情報の提示を行なうことを可能にする装置を提供する。【解決手段】  画像表示装置１００は、複数の画像情報１３０Ａ，…及び、複数の参照情報１３２Ａ，…を記憶する記憶部１２０とともに用いられる。画像表示装置１００は、第１の表示部１０２と、第２の表示部１１０と、第１の表示部１０２の表示面及び第２の表示部１１０の表示面が互いに逆方向を向くように、第１の表示部１０２と第２の表示部１１０とを接続するための接続手段と、所定の画像選択信号に応答して、画像情報１３０Ａ，…のうちの一つと、参照情報１３２Ａ，…のうちの所定数とを選択して記憶部１２０から読出し、選択された画像情報を第１の表示部１０２に、選択された参照情報を第２の表示部１１０に、それぞれ与えて表示させる制御を行なうための制御部１２４とを含む。【選択図】        図３
2005234484.tif 000002
【特許請求の範囲】
【請求項１】
複数の画像情報及び複数の参照画像を記憶する記憶装置とともに用いられる画像表示装置であって、
第１の画像表示装置と、
第２の画像表示装置と、
前記第１の画像表示装置の表示面及び前記第２の画像表示装置の表示面が互いに逆方向を向くように、前記第１の画像表示装置と前記第２の画像表示装置とを接続するための接続手段と、
所定の画像選択信号に応答して、前記複数の画像情報のうちの一つと、前記複数の参照画像のうちの所定数とを選択して前記記憶装置から読出し、選択された前記一つの画像情報を前記第１の画像表示装置に、選択された前記所定数の参照画像を前記第２の画像表示装置に、それぞれ与えて表示させる制御を行なうための制御手段とを含む、画像表示装置。
【請求項２】
さらに、前記接続手段に設けられ、画像の切替を指示する画像切替信号を生成するための、手操作可能な画像切替信号生成手段と、
前記画像切替信号に応答して、所定の順序で前記複数の画像情報のうちの一つと、前記複数の参照画像のうちの所定数とを所定の選択順序にしたがって選択して、それらを指定する画像選択信号を前記制御手段に与えるための画像選択手段とを含む、請求項１に記載の画像表示装置。
【請求項３】
前記接続手段は、前記第１の画像表示装置の表示面が配置された表面、及び前記第２の画像表示装置の表示面が配置された裏面を持つ筐体を含む、請求項１又は請求項２に記載の画像表示装置。
【請求項４】
前記画像切替信号生成手段は，手操作により第１の状態となると第１の値をとり、手操作が解除され前記第１の状態から第２の状態に復帰すると第２の値をとる画像切替信号を生成するための手段を含み、
前記制御手段は、
前記画像切替信号が前記第１の値となったことに応答して、前記第１の画像表示装置により表示されている画像と所定の関係を持つ参照画像を前記記憶装置から読出して前記第２の画像表示装置に表示させる制御を行なうための第１の表示制御手段と、
前記画像切替信号が前記第２の値となったことに応答して、前記第２の画像表示装置に表示されている参照画像に対応関係にある画像情報を前記記憶装置から読出して前記第１の画像表示装置に表示させる制御を行なうための第２の表示制御手段とを含む、請求項１〜請求項３のいずれかに記載の画像表示装置。
【請求項５】
前記第１の画像表示装置、前記第２の画像表示装置、及び前記制御手段は、前記筐体内に設けられている、請求項３に記載の画像表示装置。
【発明の詳細な説明】
【技術分野】
【０００１】
本発明は、画像の提示を行なう者の操作に従い、所定の画像を順次表示する画像表示装置に関する。特に、画像の提示を行なう者が画像を提示する際に参照するべき情報を、適切なタイミングで表示する画像表示装置に関する。
【背景技術】
【０００２】
視聴覚教育、特に幼児への教育を行なう方法として、文字、単語、及び図形等の視覚的情報を幼児など（以下、この者を「被提示者」と呼ぶ。）に次々と提示する方法がある。この方法には、一般にフラッシュカードと呼ばれるカードが用いられる。フラッシュカードは、厚紙等からなるカードであり、カードの一方の面（以下この面を「表面」と呼ぶ。）に文字、単語、文章、又は物品のイラスト等の図形など被提示者に提示する視覚的情報が描かれている。他方の面（以下この面を「裏面」と呼ぶ。）には、この方法により教育を授ける者（以下、この者を「提示者」と呼ぶ。）が参照するための情報（以下「参照情報」と呼ぶ。）が記載されている。
【０００３】
フラッシュカードを用いた視聴覚教育は、例えば以下のように実施される。まず、視覚的情報の種類毎に、数枚から数十枚のフラッシュカードを準備し、表面が同一方向に向くように所定の順序で重ねておく。提示者は被提示者に対向し、被提示者側に表面が向くように、重ねたフラッシュカードを保持する。フラッシュカードの裏面は、提示者側を向く。例えば提示者は、参照情報を音読するなどしながら当該カードをめくり、表面に描かれた視覚的情報を被提示者に提示する。提示者は、０．５秒〜１秒ほどの時間間隔で順次フラッシュカードをめくる。この一連の動作を毎日繰返し実行する。提示するカードは数日毎に入替える。
【０００４】
フラッシュカードを用いたこのような視聴覚教育は２年間から３年間程度継続的に実行される。準備されるべきフラッシュカードの枚数は多数になり、例えばカリキュラム全体で数百枚から数千枚に達することもある。さらに、提示者は大量のフラッシュカードの中から新たに提示するものを選定し、上記したように入替えを行なう必要がある。加えて、カードを１秒前後の短い間隔で円滑に順次めくって被提示者に提示することは困難である。
【０００５】
そこで、フラッシュカードを用いて視覚的情報を提示する代りに、多数枚のカードの視覚的情報とカードに関連する音声情報とを記録しているＣＤ−ＲＯＭ（Ｃｏｍｐａｃｔ  Ｄｉｓｃ−Ｒｅａｄ  Ｏｎｌｙ  Ｍｅｍｏｒｙ）から、視覚的情報と音声情報とを読出して、テレビジョン受像機に表示させる乳幼児教育装置が後述の特許文献１に記載されている。
【０００６】
特許文献１に記載の乳幼児教育装置は、テレビジョン受像機と、視覚情報及び音声情報とを記憶しているＣＤ−ＲＯＭと、ＣＰＵ（Ｃｅｎｔｒａｌ  Ｐｒｏｃｅｓｓｉｎｇ  Ｕｎｉｔ）制御部と手操作入力部とを含む。この装置を使用する際には、提示者は手操作入力部を用いて所定の環境設定を行ない、視覚情報の表示速度の初期設定を行なう。ＣＰＵ制御部は、環境設定に従い、ＣＤ−ＲＯＭから視覚情報と音声情報を読出し、設定された表示速度でテレビジョン受像機に与える。テレビジョン受像機は、与えられた視覚情報と音声情報とを設定された時間間隔で表示する。
【０００７】
特許文献１によると、この装置により、フラッシュカードを整理する煩わしさと、カリキュラム通りにこの視聴覚教育方法を実践することの難しさとが解決される。
【０００８】
【特許文献１】特開平７−７７９２６号公報
【発明の開示】
【発明が解決しようとする課題】
【０００９】
フラッシュカードを用いた従来の方法では、提示者と被提示者とが向かい合った状態で、視覚的情報の提示を行なう。そのため提示者は被提示者の反応を確認することができる。被提示者の反応に応じて、フラッシュカードをめくる速さを変えたりすることができる。また、参照情報を音読する場合、声色を変化させるなどの工夫をすることもできる。このようにフラッシュカードを用いた方法は、管理等が困難であるという問題を持つが、提示者と被提示者とのインタラクションにより効果的な視覚的情報の提示を行なうことが可能である。
【００１０】
これに対して特許文献１に記載の乳幼児教育装置は、被提示者に視覚的情報を所定の時間間隔で順次提示する。そのため次のような問題が生じる。すなわち、特許文献１に記載の乳幼児教育装置では、視覚的情報及び音声情報の提示は一方的なものとなる。そのため、フラッシュカードを用いる方法と異なり、提示者と被提示者とのインタラクションによる効果的な提示を行なうことができない。
【００１１】
それゆえに、本発明の目的は、フラッシュカードの管理等、提示者にかかる負担を軽減すると共に、フラッシュカードを用いた方法と同様に効果的な視覚的情報の提示を行なうことを可能にする画像表示装置を提供することである。
【課題を解決するための手段】
【００１２】
本発明に係る画像表示装置は、複数の画像情報及び、複数の参照画像を記憶する記憶装置とともに用いられる装置である。この画像表示装置は、第１の画像表示装置と、第２の画像表示装置と、第１の画像表示装置の表示面及び第２の画像表示装置の表示面が互いに逆方向を向くように、第１の画像表示装置と第２の画像表示装置とを接続するための接続手段と、所定の画像選択信号に応答して、複数の画像情報のうちの一つと、複数の参照画像のうちの所定数とを選択して記憶装置から読出し、選択された一つの画像情報を第１の画像表示装置に、選択された所定数の参照画像を第２の画像表示装置に、それぞれ与えて表示させる制御を行なうための制御手段とを含む。
【００１３】
好ましくは、画像表示装置はさらに、接続手段に設けられ、画像の切替を指示する画像切替信号を生成するための、手操作可能な画像切替信号生成手段と、画像切替信号に応答して、所定の順序で複数の画像情報のうちの一つと、複数の参照画像のうちの所定数とを所定の選択順序にしたがって選択して、それらを指定する画像選択信号を制御手段に与えるための画像選択手段とを含む。
【００１４】
接続手段は、第１の画像表示装置の表示面が配置された表面、及び第２の画像表示装置の表示面が配置された裏面を持つ筐体を含んでもよい。
【００１５】
画像切替信号生成手段は，手操作により所定の状態となると第１の値をとり、手操作が解除され所定の状態から初期の状態に復帰すると第２の値をとる画像切替信号を生成するための手段を含んでもよい。制御手段は、画像切替信号が第１の値となったことに応答して、第１の画像表示装置により表示されている画像と所定の関係を持つ参照画像を記憶装置から読出して第２の画像表示装置に表示させる制御を行なうための第１の表示制御手段と、画像切替信号が第２の値となったことに応答して、第２の画像表示装置に表示されている参照画像に対応関係にある画像情報を記憶装置から読出して第１の画像表示装置に表示させる制御を行なうための第２の表示制御手段とを含む。
【００１６】
第１の画像表示装置、第２の画像表示装置、及び制御手段は、筐体内に設けられていてもよい。
【発明の効果】
【００１７】
本発明によると、画像を見る者と参照画像を見る者とが対面した状態で、画像と参照画像とを記憶装置に記憶された情報の中から選び、それぞれ表示することができる。また、画像と参照画像とを、共に選択しながら表示することができる。さらに、手操作により、所望のタイミングで画像の切替を行なうことができる。また、参照画像の表示を、画像の表示に先立って行なうことができる。参照画像を見る者は、画像の表示に先立って参照画像を参照することができる。
【発明を実施するための最良の形態】
【００１８】
以下、図面を参照しつつ本発明の一実施の形態について説明する。なお、以下の説明に用いる図面では、同一の部品に同一の符号を付してある。それらの名称及び機能もまた同一である。したがって、それらについての詳細な説明は繰返さない。
【００１９】
［第１の実施の形態］
図１は、本発明に係る画像表示装置の一実施の形態に係る電子フラッシュカード装置１００の正面図である。図２は、電子フラッシュカード装置１００の背面図である。
【００２０】
図１を参照して、電子フラッシュカード装置１００は、扁平な矩形箱型形状を有する筐体１０１と、筐体１０１の正面に設けられた、ＬＣＤ（Ｌｉｑｕｉｄ  Ｃｒｙｓｔａｌ  Ｄｉｓｐｌａｙ）からなる第１の表示部１０２と、筐体１０１の正面に設けられた、第１の表示部１０２に表示させる画像の切替を要求する入力を受ける画像送りボタン１０８とを含む。
【００２１】
図２を参照して、電子フラッシュカード装置１００はさらに、筐体１０１の裏面に設けられた、ＬＣＤからなる第２の表示部１１０と、電子フラッシュカード装置１００の動作設定等を行なうため入力を受ける設定操作ボタン１１２Ａ，１１２Ｂ，…とを含む。
【００２２】
筐体１０１の正面は、通常使用されるフラッシュカードと同程度の大きさを持つ。したがって、提示者はこの電子フラッシュカード装置１００を片手でも保持することができる。画像送りボタン１０８は、提示者が右手でこの電子フラッシュカード装置１００を持った際に、ほぼ右手の人差指が来る位置の近辺に設けられる。このように正面に画像送りボタン１０８を設けることにより、被提示者には、提示者の操作によって画像が切替わっていることが分かる。したがって、被提示者は従来のフラッシュカードと同様の感覚で画像を見ることができる。
【００２３】
もちろん、被提示者から見えない位置に画像送りボタン１０８を設けてもよい。しかしその場合には、被提示者からは提示者が画像の切替を行なっていることが分からないので、画像が機械的に切替わっているように見えるような印象を与えるおそれもある。
【００２４】
さらに、提示者が被提示者の反応と参照情報とを共に確認することを容易にするために、第２の表示部１１０は、筐体１０１の裏面の上方に配置されている。提示者からも被提示者からも相手の顔が見えやすく、提示者と被提示者とのインタラクションとして従来のフラッシュカードを用いた場合と同様のものが期待できる。
【００２５】
電子フラッシュカード装置１００は、提示するべき複数の画像の情報（以下、この情報を「画像情報」と呼ぶ。）と画像に対応する参照情報とをそれぞれ保持し、提示者からの入力を受け、画像送りボタン１０８が生成する入力信号に応答して、保持している画像の情報を読出し、第１の表示部１０２で所定の順に画像を表示すると共に、第１の表示部１０２で表示する画像情報に対応する参照情報を第２の表示部１１０で表示する機能を有する。
【００２６】
図３に、電子フラッシュカード装置１００の機能的構成をブロック図形式で示す。図３を参照して、電子フラッシュカード装置１００は、第１の表示部１０２及び第２の表示部１１０に表示する複数の画像情報１３０Ａ，１３０Ｂ，…、画像情報に対応する参照情報１３２Ａ，１３２Ｂ，…、及び参照情報の表示順序を規定する提示順情報１３４を記憶するための記憶部１２０と、図１に示す画像送りボタン１０８及び設定操作ボタン１１２Ａ，Ｂ，…を有し、それらに対する操作に応答して所定の入力信号を生成する入力部１２２と、第１の表示部１０２、第２の表示部１１０、記憶部１２０、及び入力部１２２に接続され、入力部１２２が生成する入力信号に応答して、記憶部１２０に記憶されている画像情報を提示順情報１３４により定まる順序で読出し、第１の表示部１０２に表示させると共に、読出した画像の情報と対応関係にある参照情報を記憶部１２０より読出し、第２の表示部１１０に表示させる制御を行なう制御部１２４とを含む。
【００２７】
制御部１２４は、入力部１２２が図１に示す画像送りボタン１０８に対する操作に応答して生成する画像送り信号を受け、提示順情報１３４を参照して表示するべき画像の情報を画像情報１３０Ａ，１３０Ｂ，…の中から選び、記憶部１２０より読出し、第１の表示部１０２が表示可能な信号に変換して第１の表示部１０２に与える第１の読出処理部１４０と、第１の読出処理部１４０より、第１の読出処理部１４０が参照した提示順情報を受け、第１の読出処理部１４０が読出した画像情報と対応関係にある参照情報を参照情報１３２Ａ，１３２Ｂ，…の中から選んで記憶部１２０より読出し、第２の表示部１１０が表示可能な信号に変換し、第１の読出処理部１４０に同期して第２の表示部１１０に与える第２の処理部１４２とを含む。
【００２８】
図４に、記憶部１２０に記憶される画像情報１３０Ａ，１３０Ｂ，…及び参照情報１３２Ａ，１３２Ｂ，…の一例を示す。図４を参照して、画像情報１３０Ａ，１３０Ｂ，…は、ひらがな、カタカナ、漢字、若しくは数字等の文字、又は図形、絵画、イラスト、若しくは写真等の映像により構成された画像の情報である。これらの画像情報は、フラッシュカードの表面に描かれる視覚的情報に相当するものである。画面情報１３０Ａ，１３０Ｂ，…は、画像の種類毎に、カテゴリに分類される。例えば、図４に示す第１のカテゴリ１６０Ａは数字の画像のカテゴリであり、このカテゴリに分類される画像情報１６２Ａ，１６２Ｂ，…はそれぞれ、図形化された数字の画像を表示するための情報である。また例えば第２のカテゴリ１６０Ｂは自動車のイラストのカテゴリであり、このカテゴリに分類される画像情報１６４Ａ，１６４Ｂ，…はそれぞれ、自動車のイラスト画像を表示するための情報である。
【００２９】
参照情報１３２Ａ，１３２Ｂ，…はそれぞれ、画像情報１３０Ａ，１３０Ｂ，…と対応関係にある情報であり、対応関係にある画像情報１３０Ａ，１３０Ｂ，…を構成する文字又は図形の内容を示す。これらの参照情報は、フラッシュカードの裏面に記載される情報に相当する。例えば、第１のカテゴリ１６０Ａに分類される画像情報と対応関係にある参照情報１６６Ａ，１６６Ｂ，…は、その画像情報を構成する数字の文字情報である。また例えば、第２のカテゴリ１６０Ｂに分類される画像情報と対応関係にある参照情報１６８Ａ，１６８Ｂ，…は、画像情報と同様のイラストと、イラストにより示される事物の名称を示す文字情報とである。
【００３０】
図５に、図３に示す提示順情報１３２の一例を示す。図５を参照して、提示順情報１３４は、電子フラッシュカード装置１００を用いた視聴覚教育のカリキュラムの日程毎に、電子フラッシュカード装置１００を用いた画像の提示順序を規定する情報である。提示順情報１３４は、画像情報を識別するための識別子と識別子により識別される画像情報に対応する参照情報の識別子とが提示するべき順に格納されている。提示順情報１３４は、電子フラッシュカード装置１００の出荷時に記憶部１２０に記憶させておいてもよい。また、提示者が図２に示す設定操作ボタン１１２Ａ，１１２Ｂ，…を用いて入力し、作成及び編集するようにしてもよい。
【００３１】
この電子フラッシュカード装置１００は、以下のように動作する。
【００３２】
図１を参照して、電子フラッシュカード装置１００が起動し、提示者が画像送りボタン１０８を押下すると、図３に示す入力部１２２は、これに応答して画像送り信号を生成する。画像送り信号は図３に示す制御部１２４の第１の読出処理部１４０に与えられる。第１の読出処理部１４０は、提示順情報１３４（図５参照）を参照し、第１の表示部１０２に表示させる画像を特定し、記憶部１２０から対応の画像情報を読出す。第１の読出処理部１４０は、読出した画像情報を第１の表示部１０２が表示可能な信号に変換し、第１の表示部１０２に与える。さらに第１の読出処理部１４０は、読出した画像情報に対応する参照情報を特定する情報を第２の読出処理部１４２に与える。
【００３３】
第２の読出処理部１４２は、第１の読出処理部より参照情報を特定する情報が与えられたことに応答して、該当する参照情報を読出し、第２の表示部１１０が表示可能な信号に変換する。読出及び変換が完了すると、第２の読出処理部１４２は、変換された信号を第２の表示部１１０に与える。
【００３４】
第１の表示部１０２及び第２の表示部１１０は、それぞれ、与えられた信号に基づき画像を表示する。この表示は、共に、次に表示するべき情報が各表示部に与えられるまで維持される。
【００３５】
提示者が画像送りボタン１０８（図１参照）を再び押下すると、入力部１２２から制御部１２４に再び画像送り信号が与えられ、制御部１２４の第１の読出処理部１４０はこれに応答し、記憶部１２０に保持されている提示順情報１３４を参照し、次に表示するべき画像の画像情報を特定する。以下、先の表示動作と同様にして、提示者が画像送りボタンを押下すると、第１の表示部１０２及び第２の表示部１１０には、所定の順番で画像が表示される。この動作は、提供者が画像送りボタン１０８を押すたびに繰返される。
【００３６】
図６に、第１の表示部１０２及び第２の表示部１１０に表示される画像の遷移例を示す。図６を参照して、第１の表示部１０２の画面（以下、この画面を「第１の画面」と呼ぶ。）１８０に表示される画像は、画像送りボタン１０８（図１参照）が押下された時点で、順次切替わる。また、第２の表示部１１０の画面（以下、この画面を「第２の画面」と呼ぶ。）１８２には、第１の画面１８０に同期して、第１の画面１８０に表示された画像情報に対応する参照情報が表示される。
【００３７】
このように、本実施の形態に係る電子フラッシュカード装置１００は、提示者により画像送りボタン１０８が押下されると、被提示者に提示するべき画像及びその参照情報の表示が順次切替わる。フラッシュカードを高速でめくるという困難な作業を必要とせず、提示者はボタンを押下するという単純な操作で、フラッシュカードを用いた場合と同様の視聴覚教育方法を実施できる。
【００３８】
また、提示するべき画像の画像情報、画像情報に対応する参照情報、及び画像の提示順序を規定する提示順情報を記憶部１２０が保持することにより、多量のフラッシュカードを準備し、管理する煩わしさを軽減することができる。
【００３９】
さらに、第１の表示部１０２を電子フラッシュカード装置１００の正面に配置し、参照情報を表示する第２の表示部１１０を背面に配置しているため、フラッシュカードを用いた従来の視聴覚情報と同様に、提示者が対面した状態で、画像の提示を行なうことができる。提示者は、被提示者の反応を確認し、画像送りボタン１０８を押下するタイミングを調節することが可能となる。よって、被提示者の反応を確認しながら効果的な画像の提示を行なうことも可能となる。
【００４０】
［第２の実施の形態］
上記した第１の実施の形態では、電子フラッシュカード装置１００は、画像送りボタン１０８が押下されたことに応答して、提示するべき画像と参照情報とを、第１の表示部１０２及び第２の表示部１１０にそれぞれ同期させて表示する。しかし、本発明はこのような実施の形態には限定されない。
【００４１】
従来のフラッシュカードの場合、フラッシュカードを、提示する順に提示者の側から被提示者の側へ重ねて使用する。提示者は、提示者側の一番手前にあるフラッシュカードの参照する情報が記載された裏面を見た後に、当該一番手前のフラッシュカードをめくり、めくったカードを被提示者に提示する。したがって、提示者は、提示するべきフラッシュカードに描かれた視覚的情報について、提示に先立って参照することができる。電子的な画像表示装置を用いる場合にも、同様に提示者が事前に参照を行なうことが望ましい。
【００４２】
以下に説明する第２の実施の形態に係る電子フラッシュカード装置は、画像情報の表示と参照情報の表示とを同期させるのではなく、提示者による操作入力に応答して、参照情報を、提示するべき画像に先立って表示する機能を有する。
【００４３】
本実施の形態に係る電子フラッシュカード装置は、図１及び図２に示す電子フラッシュカード装置１００と同様の外観である。そのため、外観に関する説明は繰返さない。図７に、本実施の形態に係る電子フラッシュカード装置２００の機能的構成をブロック図形式で示す。図７を参照して、電子フラッシュカード装置２００は、図１から図３に示す第１の実施の形態に係る電子フラッシュカード装置１００のものと同一の第１の表示部１０２と、第２の表示部１１０と、記憶部１２０とを含む。
【００４４】
電子フラッシュカード装置２００はさらに、図３に示す入力部１２２に替えて、画像送りボタン１０８が押下された状態（以下、この状態を、画像送りボタン１０８が「オンの状態」と呼ぶ。）にあるときに第１の値を、押下されていない状態（以下、この状態を、画像送りボタン１０８が「オフの状態」と呼ぶ。）にあるにあるときに第２の値を、それぞれとるボタン押下信号を生成する入力部２１０を含む。
【００４５】
電子フラッシュカード装置２００は、図３に示す電子フラッシュカード装置１００の制御部１２４に替えて、入力部２１０が生成するボタン押下信号の値が第１の値から第２の値になったことに応答して、第２の表示部１１０による参照情報の表示を切替え、ボタン押下信号の値が第２の値から第１の値になったことに応答して、参照情報と対応関係にある画像情報の表示の切替を行なうように画像表示を制御する制御部２１２を含む。
【００４６】
制御部２１２は、入力部２１０からのボタン押下信号の値の変化の有無、及びその方向を判定し、ボタン押下信号が第１の値から第２の値になったときに第１の信号を第１の読出処理部２２４に与え、ボタン押下信号が第２の値から第１の値になったときに第２の信号を第２の読出し処理部２２２に与えるための信号判定部２２０と、第２の読出処理部２２２より提示順情報を受けたことに応答して提示順情報１３４に従い画像情報の読出及び変換を行ない、信号判定部２２０が第１の信号を生成したこと応答して、変換した画像情報の信号を第１の表示部１０２に与えてこれを表示させる第１の読出処理部２２４と、信号判定部２２０が生成する第２の信号に応答して、記憶部１２０に格納されている提示順情報１３４を参照し、参照情報の読出、信号変換、及び第２の表示部１１０への送出を行なう第２の読出部２２２とを含む。
【００４７】
本実施の形態に係る電子フラッシュカード装置２００は、以下のように動作する。
【００４８】
図７を参照して、電子フラッシュカード装置２００が動作を開始すると、信号判定部２２０は、第２の信号を第２の読出処理部２２２に与える。この信号に応答して、第２の読出処理部２２２は提示順情報１３４を参照し、表示順が１番目の画像情報と対応関係にある参照情報を特定し、記憶部１２０より読出し、信号変換を行なって第２の表示部１１０に与える。第２の読出処理部２２２はさらに、参照した提示順情報１３４を第１の読出処理部２２４に与える。
【００４９】
参照情報の信号を受けたことに応答して、第２の表示部１１０は参照情報を表示する。この参照情報の表示は、第２の表示部１１０に新たな参照情報の信号が与えられるまで維持される。
【００５０】
第２の読出処理部２２２より提示順情報１３４を与えられたことに応答して、第１の読出処理部２２４は、与えられた提示順情報１３４に従い、表示するべき順序が１番目の画像情報を特定し記憶部１２０より読出し信号変換を行ない保持する。この時点では、第１の表示部１０２は画像の表示を行なわない。
【００５１】
提示者が、図１に示す画像送りボタン１０８を押下すると、画像送りボタン１０８の状態は、オフの状態からオンの状態に変化する。図７に示す入力部２１０は、ボタン押下信号の値を第１の値にし、信号判定部２２０に与える。信号判定部２２０は、第１の信号を生成し、第１の読出処理部２２４に与える。
【００５２】
第１の読出処理部２２４は、第１の信号が与えられたことに応答して、先に変換した画像情報の信号を第１の表示部１０２に与える。第１の表示部１０２は、与えられた画像情報の信号を表示する。
【００５３】
提示者が画像送りボタン１０８の押下を終了すると、画像送りボタン１０８の状態は、オンからオフに変化する。図７に示す入力部２１０は、ボタン押下信号の値を第２の値に変え、信号判定部２２４に与える。信号判定部２２４はこれに応答して、第２の信号を生成し、第２の読出処理部２２２に与える。
【００５４】
第２の読出処理部２２２は、動作開始時と同様の動作で、次に表示するべき画像情報と対応関係にある参照情報を特定し、特定した新たな参照情報を読出して変換し、第２の表示部１１０に与えると共に、提示順情報を第１の読出処理部２２４に与える。第２の表示部１１０は、与えられた新たな参照信号の表示を行なう。以下、電子フラッシュカード装置２００は、同様の動作を繰返し、参照情報と画像情報との表示を行なう。
【００５５】
図８に、本実施の形態に係る電子フラッシュカード装置２００の第１の表示部１０２により表示される第１の画面と第２の表示部１１０により表示される第２の画面との遷移例と画像送りボタン１０８の状態２４０との関係を示す。図８を参照して、電子フラッシュカード装置２００の起動時には、画像送りボタン１０８は押下されていない。すなわち画像送りボタン１０８はオフの状態にある。このとき、第１の画面に２４２には画像が表示されず、第２の画面２４４には、１番目に提示されるべき画像の参照情報２４６Ａが表示される。画像送りボタン１０８が押下され、状態２４０がオフからオンに変化すると、第１の画面２４２には１番目に提示されるべき画像２４６Ｂが表示される。このとき第２の画面２４４には、継続して１番目に提示されるべき画像の参照情報２４６Ａが表示されている。
【００５６】
提示者が画像送りボタン１０８を離し状態２４０がオンからオフに変化すると、第２の画面２４２の表示は切替わり、次の画像の参照情報２４８Ａが表示される。このとき第１の画面２４２には、継続して１番目の画像２４６Ｂが表示されている。さらに提示者が画像送りボタン１０８を押下し、状態２４０がオフからオンに変化すると、第１の画面２４２に表示される画像は第２の画面に表示されている参照情報２４８Ａと対応関係にある画像２４８Ｂに切替わる。
【００５７】
以下、画像送りボタン１０８の押下と開放とを繰返すことにより、第１の表示部１０２による画像情報の表示に先んじて参照情報が表示されるようにして、画像情報が順次切替えて表示される。提示者は、画像送りボタン１０８を開放している間に、次の画像情報が何であるかを確認できる。さらに画像送りボタン１０８を押下すると、第２の表示部１１０に参照情報を表示しながら、この参照情報に対応する画像情報が第１の表示部１０２に表示される。仮に画像を確認し忘れた場合でも、画像送りボタン１０８を押下している間は、画像情報の確認を行なうことができる。参照情報の音読を行ないながら画像情報の提示を行なうなど、参照情報を利用して画像情報の提示を行なう場合に、事前に参照情報を参照することが可能になり、より円滑な画像の提示を行なうことが可能となる。
【００５８】
［第３の実施の形態］
第２の実施の形態では、電子フラッシュカード装置２００は、次の画像情報の表示に先立って、それに対応する参照情報を提示者に提示するような画像の切替を行なっている。しかし、本発明はこのような実施の形態には限定されない。以下に説明する第３の実施の形態に係る電子フラッシュカード装置は、現在表示している画像情報に近接する提示順序の複数の画像情報に対応する参照情報を読出して、それら参照情報の画面表示を合成し、サムネイル表示を行なう機能を有する。
【００５９】
本実施の形態に係る電子フラッシュカード装置は、図１及び図２に示す電子フラッシュカード装置１００と同様の外観である。そのため、外観に関する説明は繰返さない。図９に本実施の形態に係る電子フラッシュカード装置３００の機能的構成をブロック図形式で示す。図９を参照して、電子フラッシュカード装置３００は、図３に示す第１の実施の形態に係る電子フラッシュカード装置１００のものとそれぞれ同一の第１の表示部１０２、第２の表示部１１０、記憶部１２０、及び入力部１２２と、参照情報を事前に読出し、サムネイル表示画像を合成し、入力部１２２からの入力に同期して画像情報を表示すると共に、サムネイル表示の更新を行なう機能を備える制御部３１０を含む。
【００６０】
制御部３１０は、第１の読出処理部１４０と、第１の読出処理部１４０が参照した提示順情報を受け、記憶部１２０に格納されている提示順情報１３４（図５参照）を参照し、記憶部１２０に記憶されている参照情報１３２Ａ，１３２Ｂ，…の中から、第１の読出処理部１４０が読出した画像情報に対応する参照情報、及びその画像情報に近接する順序で表示される複数の画像に対応する参照情報を読出す第２の読出処理部３１２と、第２の読出処理部３１２が読出した複数の参照情報を受け、それらに基づいてサムネイル形式の画面の表示信号を作成し、第２の表示部１１０に与える表示合成部３１４とを含む。
【００６１】
本実施の形態に係る電子フラッシュカード装置３００は以下のように動作する。
【００６２】
提示者が電子フラッシュカード装置３００の図１に示す画像送りボタン１０８を押下すると、入力部１２２は画像送り信号を生成し図９に示す第１の読出処理部１４０に与える。第１の読出処理部１４０は、第１の実施の形態と同様の動作で、表示させる画像を特定し、その画像情報を読出し、変換して第１の表示部１０２に与える。第１の読出処理部１４０はさらに、読出された画像情報に対応する参照情報を特定する情報を第２の読出処理部３１２に与える。
【００６３】
第２の読出処理部３１２は、与えられた情報と、記憶部１２０に記憶された提示順情報（図５参照）とを照合し、第１の読出処理部１４０が読出した画像情報と対応関係にある参照情報、及び当該画像情報と近接する順序で表示される複数の画像情報と対応関係にある複数の参照情報を特定し、それらを記憶部１２０から読出して表示合成部３１４に与える。
【００６４】
表示合成部３１４は、与えられた複数の参照情報をもとに、参照情報のサムネイル表示画面を作成する。サムネイル表示画面の作成が完了すると、表示合成部３１４は、サムネイル表示画面の信号を第２の表示部１１０に与える。第２の表示部１１０は、表示合成部３１４より与えられた表示画面の信号をもとに、サムネイル形式の参照情報の表示画面を表示する。
【００６５】
図１０に、第１の表示部１０２が表示する画像情報と、表示合成部３１４により作成されるサムネイル形式の参照情報の表示画面との関係の一例を示す。図１０を参照して、画面合成部３１４により作成される表示画面３４０Ａは、画像情報３４２Ａの表示と同期して表示される。表示画面３４０Ａは、画像情報３４２Ａと対応関係にある参照情報を表示する第１の画面領域３５０Ａと、その次に表示される画像情報３４２Ｂと対応関係にある参照情報を表示する第２の画面領域３５２Ａと、現在表示中の画像情報３４２Ａに近接した順序で表示される画像情報と対応関係にある複数の参照情報を表示する小画面領域３５４Ａとを含む。
【００６６】
小画面領域３５４Ａは、第１の画面領域３５０Ａに表示されている参照情報と同様の情報を表示する第１の小領域３６０Ａと、第２の画面領域３５２Ａに表示されているものと同様の参照情報を表示する第２の小領域３６２Ａと、現在表示中の画像３４２Ａの前の画像情報の参照情報を表示する第３の小領域３６４Ａと、画像情報３４２Ｂが表示された後に表示される予定の複数の画像の参照情報を表示する第４の小領域３６６Ａとを含む。
【００６７】
提示者が画像送りボタン１０８（図１参照）を押下すると、第１の表示部１０２に表示される画像は、第２の画面領域３５２Ａ及び第２の小領域３６２Ａに表示されている参照情報と対応関係にある次の画像３４２Ｂに切替わる。これと同時に、第２の表示部１１０の画面は、表示画面３４０Ａから、新たな表示画面３４０Ｂに切替わる。
【００６８】
表示画面３４０Ｂの第１の画面領域３５０Ｂには、切替前の表示画面３４０Ａにおける第２の画面領域３５２Ａに表示されていた参照情報が表示される。新たな表示画面３４０Ｂの第２の画面領域３５２Ｂには、切替前の表示画面３４０Ａにおける第４の小領域３６６Ａに表示されていた参照情報が表示される。小画面領域３５４Ａの第１の小領域３６０Ａ及び第２の小領域３６２Ａにそれぞれ表示されていた参照情報は、新たな表示画面３４０Ｂでは、それぞれ小画面領域３５４Ｂの第３の小領域３６４Ｂ及び第１の小領域３６０Ｂに表示される。第４の小領域３６６Ａに表示されていた参照情報は、それぞれ一つ上の小領域に移動して表示される。例えば第４の小領域３６６Ａに表示されていた「う」という参照情報は、第２の小領域３６２Ｂに移動して表示される。第４の小領域３６６Ｂの最も下の領域には、「お」の次に表示される画像情報の参照情報（図１０では「数字」という文字）が表示される。
【００６９】
このように、第２の表示部１１０に参照情報を複数表示することにより、提示者はより多くの参照情報を事前に確認できる。また、各参照情報が第２の表示部１１０に表示される時間は、サムネイル表示を行なわない例、例えば第１の実施の形態と比較して長くなる。そのため、第１の表示部１０２での画像の表示を高速で切替えて、被提示者に画像を提示する場合に、提示者が参照情報を事前に確認しやすくなることが期待される。
【００７０】
なお、上記した第１から第３の実施の形態に係る電子フラッシュカード装置においては、画像情報の表示履歴を示す情報を作成し、蓄積するようにしてもよい。例えば、入力部１２２からの入力と提示順情報１３４とに基づき、表示した画像情報の識別子若しくは画像情報を識別する画像情報名、画像を表示した日及び時刻、画像の表示に要した時間、又は一回の画像表示に要した時間の平均値等の情報を記録し、表示履歴を示す情報として蓄積するようにしてもよい。さらに蓄積した表示履歴を示す情報を、提示者による入力に応じて表示するようにしてもよい。表示履歴を示す情報を作成、蓄積し、表示することにより、提示者は、この画像表示装置を用いた視聴覚教育カリキュラムの進捗状況を把握することが容易になる。
【００７１】
また、上記した第１から第３の実施の形態において、第１の表示部１０２に表示される画像の切替を行なう際に、ビデオ映像の編集などで一般的に使用されているマーキー、フェードイン・フェードアウト、又はワイプなどの視覚効果を加えてもよい。特にワイプ効果を加えると、切替えて新たに表示するべき画像が、表示中の画像の上にスライドするように表示切替を行なうことができ、実際のフラッシュカードを使用した場合と類似の視覚的効果を得ることができる。また、第１の表示部１０２に表示する画像を切替える際に、画像のフェードイン・フェードアウト効果を加えることにより、高速で画像を切替えるなどした場合に被提示者の視覚にかかる負担が軽減することが期待される。
【００７２】
上記した第１から第３の実施の形態では、参照情報として、文字又は画像を表示したが、参照情報としてさらに、音声信号を再生するようにしてもよい。この場合、画像表示装置はさらに音声の情報を保持し、参照情報を表示する際に、あわせて音声信号の再生を行なう。このようにすると、提示者が画像の提示にあわせて読上げるべき内容を、音声として再生することが可能となる。提示者が自分で参照情報を読上げる必要がなくなる。ただしこの場合でも、読上げのタイミングは提示者のボタン操作により決まる。提示者は、被提示者の反応を見て進行を適宜制御することができる。
【００７３】
上記した実施の形態に係る電子フラッシュカード装置の第２の表示部１１０は、第１の表示部１０２の表示面に対して、任意の角度で固定できるよう回動可能に設置されてもよい。このような電子フラッシュカード装置を用いることにより、第１の表示部１０２を見る被提示者と第２の表示部１１０を見る提示者との位置関係を変更することが可能となり、被提示者と提示者とが共に見やすい位置で画像表示装置を使用することが可能となる。
【００７４】
なお、上記した実施の形態では、画像情報１３０Ａ，１３０Ｂ，…の表示順序及びそれらと参照情報１３２Ａ，１３２Ｂ，…との対応関係を、提示順情報１３４によって規定した。しかし、表示順序及び画像情報と参照情報との対応関係について規定する情報は、このような形態のものには限定されない。例えば、画像情報１３０Ａ，１３０Ｂ，…若しくは参照情報１３２Ａ，１３２Ｂ，…に、この情報の次に表示するべき画像情報若しくは参照情報を示す情報と両者の対応関係を示す情報を添付するようにしてもよい。又は、画像情報の格納アドレスのリストと、参照情報の格納アドレスのリストとを設け、対応する情報は互いにリスト中の同じ位置に格納するようにしてもよい。その場合、リスト中の同じ位置を指定することで、画像情報とその参照情報とを記憶装置から読出すことができる。その他、提示順序及び両者の対応関係を示す情報であれば、どのような形式であってもよい。
【００７５】
以上に示す各実施の形態に係る電子フラッシュカード装置の各機能部は、画像の表示装置が少なくとも２個必要なことを除き、いずれもいわゆるノートパソコンと同様のハードウェア及び当該コンピュータ上で実行されるプログラムにより実現することができる。また、上で説明した電子フラッシュカード装置の各機能ブロックは、この明細書の記載に基づき、当業者であればプログラムで実現することができる。そうしたプログラムもまた１つのデータであり、記憶媒体に記憶させて流通させることができる。
【００７６】
なお、上記した実施の形態では、画像を記憶する記憶装置は筐体内に設けられている。しかし本発明はそのような実施の形態には限定されない。例えばカード型の記憶装置など、着脱可能な記録媒体に画像情報を記憶しておき、それらから画像情報を読出すようにしてもよい。この場合、記録媒体を取替えることにより、種々の視覚的情報を用いた視聴覚的教育方法を実施することができる。
【００７７】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【００７８】
【図１】本発明の第１の実施の形態に係る電子フラッシュカード装置１００の外観の一例を示す正面図である。
【図２】電子フラッシュカード装置１００の外観の一例を示す背面図である。
【図３】電子フラッシュカード装置１００の機能的構成を示すブロック図である。
【図４】記憶部１２０に記憶される画像情報及び参照情報の一例を示す図である。
【図５】記憶部１２０に記憶されている提示順情報１３４の一例を示す図である。
【図６】第１の実施の形態において第１の表示部１０２及び第２の表示部１１０に表示される画像及び参照情報の画面表示の遷移例を示す図である。
【図７】第２の実施の形態に係る電子フラッシュカード装置２００の機能的構成を示すブロック図である。
【図８】第２の実施の形態において第１の表示部１０２及び第２の表示部１１０に表示される画像及び参照情報の画面表示の遷移例を示す図である。
【図９】第３の実施の形態に係る電子フラッシュカード装置３００の機能的構成を示すブロック図である。
【図１０】第３の実施の形態において第１の表示部１０２に表示される画像と第２の表示部１１０に表示される参照情報の画面表示との関係の一例を示す図である。
【符号の説明】
【００７９】
１００，２００，３００  電子フラッシュカード装置、１０１  筐体、１０２  第１の表示部、１０８  画像送りボタン、１１０  第２の表示部、１１２Ａ，Ｂ，…  設定操作ボタン、１２０  記憶部、１２２，２１０  入力部、１２４，２１２，３１０  制御部、１３０Ａ，Ｂ，…  画像情報、１３２Ａ，Ｂ，…  参照情報、１３４  提示順情報、１４０，２２４  第１の読出処理部、１４２，２２２，３１２  第２の読出処理部、２２０  信号判定部、３１４  表示合成部
【図１】
2005234484.tif 000003
【図２】
2005234484.tif 000004
【図３】
2005234484.tif 000005
【図４】
2005234484.tif 000006
【図５】
2005234484.tif 000007
【図６】
2005234484.tif 000008
【図７】
2005234484.tif 000009
【図８】
2005234484.tif 000010
【図９】
2005234484.tif 000011
【図１０】
2005234484.tif 000012